(57)【要約】【課題】中・高粘性液体用多機能ノズル付き容器の一本で、数種類の異形形状の内容物の押し出しが可能で、該多機能ノズルの使用時での取り扱いが非常に簡単で、かつ、ノズルの未使用時での別途保管場所が不要となる容器の提供することを目的とする。【解決手段】容器本体１と着脱自在な多機能ノズルユニット２を具備し、該多機能ノズルユニット２が数種類の内容物の押出し形状の原型の開口部を有し、多機能ノズル３の簡単な傾倒可動スライドにより、容器本体１の中・高粘性内容物の押し出しが可能となる。【選択図】    なし【特許請求の範囲】
【請求項１】
容器本体１と該容器本体１の開口部に、着脱自在なノズルベース４と該ノズルベース４に付設し、自在に傾倒可動スライドして、容器本体１の中・高粘性液体内容物の押出し液体を連続して、押し出すことができる多機能ノズル３と該多機能ノズル３に、同時成形のヒンジ付き蓋３ａを有する多機能ノズルユニット２を具備し、該多機能ノズルユニット２の、上記、多機能ノズル３を傾倒可動スライドさせて、押し出し時の使用しやすい角度で適量の内容物の押し出しを行うことができる。また、上記、多機能ノズル３を直立状態に係止をさせると共に、上記、多機能ノズル３が自在に傾倒可動スライドと、該多機能ノズル３が、所定の位置で係止させる使用状態と、に切り替え可能となるように構成したことを特徴とする中・高粘性液体用多機能ノズル付き容器。
【請求項２】
多機能ノズルユニット２の多機能ノズル３が手動で、直立状態と、自在に傾倒可動スライド、及び、係止可能となるように構成させて、所定の位置により、容器本体１の中・高粘性内容物の押出し液体が数種類の押出し形状で、押し出すことができる請求項１記載の中・高粘性液体用多機能ノズル付き容器。
【請求項３】
多機能ノズルユニット２の多機能ノズル３が手動で、直立状態と、自在に傾倒可動スライド、及び、係止可能となるように構成させて、所定の位置により、容器本体１に形成された円弧状のダイヤフラムボタン５を押圧することにより、中・高粘性の内容物を一定量に単発、若しくは、断続的に押し出しができる請求項１、又は２記載の中・高粘性液体用多機能ノズル付き容器。
【発明の詳細な説明】
【０００１】
【発明の属する技術分野】
本発明は、中・高粘性液体用多機能ノズル付き容器に関する。
【０００２】
【従来の技術】
従来の、中・高粘性液体用の容器本体は、軟質素材やポリエチレン、ＰＥＴ（ポリエチレンテレフタレート）樹脂などで作られた成形品などの容器で販売されることが多い。これらは、比較的高い粘度のゲル状のため、押し出しを容易にするためであった。そして、これらの容器としては、従来からマヨネーズやとんかつソース、蜂蜜、中濃ソースなどの容器として、また、食品調味料関係の以外でも建材用接着剤などの容器としての押出し容器が圧倒的に多い。これらの押出し容器は、押出しノズルの形状が先端に向かってテーパー状に形成されて、該先端部が開口されたものや、任意に切断をして使用されている。また、最近では、持ち帰り品の定番メニューのたこ焼きやお好み焼き、クレープなどに使われる調味料などを１条や３条などの押し出しが出来る単体のノズルや、色々な形状で押し出せる、数種類の交換式ノズルで排他使用して行える容器もある。（例えば、特許文献１参照。）、また、キャップ構造の注出筒を回動させて閉栓する高粘性液体用容器もある。（例えば、特許文献２参照。）、また、キャップ付きの二重押出し口にして、「蓋」を開ければ細口に、キャップをはずせば星形に出せるようにした、押出し容器の製品も市販されている。（例えば、非特許文献３参照。）
【０００３】
【特許文献１】
特開２００２−２７４５５６号公報（第２−６頁、第５図）
【特許文献２】
特開平１１−１３９４４８号公報（第２−５頁、第１図）
【非特許文献３】
［オンライン］、〔平成１５年５月１２日検索〕、インターネットＵＲＬ：ｈｔｔｐ：／／ｗｗｗ．ａｊｉｎｏｍｏｔｏ．ｃｏ．ｊｐ／  、「商品ラインアップ：マヨネーズ＆ドレッシング」、ピュアセレクト（登録商標）
【発明が解決しようとする課題】
しかしながら、従来の粘度の高い、マヨネーズなどは流動性が低いために、食材に押し出されても、混ぜ合わせが必要だったり、また、装飾的に押し出して使用する場合でも、不均一になったりで、使用時の工夫が必要であった。また、建材用接着剤の場合でも、塗布される建材面などへも塗布量のムラにもなっていた。
【０００４】
そこで、本発明は、比較的粘度が高くゲル状の流動性の低い調味料（マヨネーズ、トンカツソースなど）や蜂蜜、中濃ソース、建材用接着剤などの塗布時に、中・高粘性液体用多機能ノズル付き容器の一本で、１条、多条、スリットなど、連続押し出しなどの用途別の押出し塗布が可能で、かつ、食材への料理装飾などの単発押し出しや断続的な押出し塗布などが、ノズルの交換や使用上の工夫が不要で、使いがってのよい、中・高粘性液体用多機能ノズル付き容器の提供することを目的とする。
【０００５】
【課題を解決するための手段】
上述の目的を達成するために、本発明に係る中・高粘性液体用多機能ノズル付き容器は、容器本体１と該容器本体１の開口部に、着脱自在なノズルベース４と該ノズルベース４に付設し、自在に傾倒可動スライドと、所定の位置で係止させて、容器本体１の中・高粘性内容物の押出し液体を連続して、数種類の押出し形状で押し出すことができる多機能ノズル３を具備し、該多機能ノズル３には、同時成形のヒンジ付き蓋３ａを有する。多機能ノズルユニット２の、上記、多機能ノズル３を直立状態に係止をさせると共に、該多機能ノズル３が傾倒可動スライドと、所定の位置で係止させる使用状態と、に切り替え可能となるように構成したものである。
【０００６】
また、多機能ノズルユニット２の多機能ノズル３が手動で直立状態と、自在に傾倒可動スライドさせて、所定の位置で係止をさせると共に、容器本体１に形成された、円弧状のダイヤフラムボタン５を押圧することにより、中・高粘性内容物を一定量に単発押し出し、若しくは、断続的に押し出しができるように構成されている。
【発明の実施の形態】
以下、実施の形態を示す図面に基づき、本発明を詳説する。
【０００７】
図１と、図２に、本発明に係る中・高粘性液体用多機能ノズル付き容器の一形態を示し、本中・高粘性液体用多機能ノズル付き容器は、容器本体１と、多機能ノズルユニット２と、を具備している。なお、本中・高粘性液体用多機能ノズル付き容器は、家庭用調味料容器、業務用調味料容器、建材用接着剤容器などの比較的粘度の高い液体用多機能ノズル付き容器として使用するものである。
【０００８】
容器本体１は、開口部（図示省略の）外周面に、多機能ノズルユニット２を締め付けて装着する雄ねじ（図示省略の）が形成されている。また、多機能ノズルユニット２は、容器本体１に装着して螺合する装着部の内周部に雌ねじ（図示省略の）が形成されている。
【０００９】
多機能ノズルユニット２は、ノズルベース４の外周面に、凹部６を設け、該凹部６の底部６ａの両端に、四角の各孔７（図３参照）が設けられている。多機能ノズル３は、同時成形によるヒンジ付き蓋３ａを有し、該多機能ノズル３の両端部は、前記、ノズルベース４の凹部６に設けられた底部６ａの両端に、四角い各孔７に嵌入されている。また、多機能ノズル３は、初期の組み立て後には、該多機能ノズル３の両端が、前記、ノズルベース４の凹部６の底部６ａの、四角の各孔７（図４参照）に、脱落しないように嵌め込まれているため、多機能ノズル３を左右に傾倒可動スライドさせても脱落しない構成となっている。
【００１０】
多機能ノズル３は、ノズルベース４の外周面の凹部６の側壁部６ｂと底部６ａに嵌合し、直立状態と、自在に傾倒可動スライドさせて、係止状態（図４、図５参照）に、切り換えることが出来るように取り付けられている。
【００１１】
ノズルベース４の凹部６の底部、６ａの面に、直立状態の位置８と該位置の左右両側に内容物の押出し形状の原型の開口部９、開口部１０（図３参照）を有している。なお、ノズルベース４の凹部６の底部、６ａの面と多機能ノズル３の底面部は、密接されているため、押出し形状の原型の開口部８、９、１０（図４、図５参照）の混入押し出しや、外部への内容物の漏出がない。図３は、ノズルベース４と多機能ノズル３を分離した状態を示す。又、図４、図５では、一部横断面作用説明図を示す。
【００１２】
即ち、図４において、多機能ノズルユニット２の多機能ノズル３が直立状態では、押出し形状の原型の開口部８より内容物が前記、多機能ノズル３を開口部として押し出される。また、前記、多機能ノズル３を片方に傾倒（図５参照）させると、開口部９の原型の開口部の形状で押し出され、他方の方向へ前記、多機能ノズル３を傾倒させることにより、開口部１０の原型の開口部の形状で押し出されるように構成されている。
【００１３】
上述のように構成された中・高粘性液体用多機能ノズル付き容器によれば、該容器内の中・高粘性内容物の押出し液体を数種類の押出し形状で、かつ、適量の内容物の押し出しが行える。また、容器本体１と多機能ノズルユニット２が容易に、分離や洗浄することが可能であるため、内容物の追加や、他との混合なども行うことが出来る。
【００１４】
次に、図６と、図７に、本発明の別の実施の形態を示し、多機能ノズル３がノズルベース４に、ボールジョイント方式で嵌合付設し、前記、多機能ノズル３は、直立状態（図８参照）から、ガイド凹凸部の凹１１ａが凸１１ｂを指標にして、放射状に傾倒可動スライド（図９、図１０参照）が可能であるため、少なくても５種類（図示省略）の異形押出し形状から９種類形状（図１０参照）の異形押出し形状（符号省略）での内容物の押し出しが可能となる。なお、図６、図７、図８、図９は、５種類の異形押出し形状ができる多機能ノズルユニット２が組み込まれた容器の図を示す。
【００１５】
また、図６、図７に示すように、容器本体１に、形成された円弧状のダイヤフラムボタン５を押圧することにより、中・高粘性内容物を一定量に単発、若しくは、断続的に、内容物の押し出しが可能となる。
【００１６】
なお、本発明は、上述の実施の形態に限定されず、多機能ノズル３の形状、及び、ノズルベース４に開孔される押出し形状の原型の開口部の数量の増減、形状、また、ダイヤフラムボタン５の数量や形状などは、本発明の要旨を逸脱しない範囲で設計変更可能である。
【００１７】
【発明の効果】
本発明は、上述の如く構成されるので、次に記載する効果を奏する。
【００１８】
（請求項１によれば、）中・高粘性液体用多機能ノズル付き容器は、多機能ノズルユニット２の多機能ノズル３を傾倒可動スライドさせることにより、押し出し時の使用しやすい角度で、適量の内容物の押し出しを行うことができる。また、前記、多機能ノズルユニット２の、多機能ノズル３の使用時での取り扱いが非常に簡単である。
【００１９】
（請求項２によれば、）中・高粘性液体用多機能ノズル付き容器は、多機能ノズル３を傾倒可動スライドさせることにより、数種類の異形形状での内容物の押し出しが可能であり、多機能ノズル３の使用時での取り扱いが非常に簡単で、かつ、ノズルの未使用時での別途保管場所が不要となる。
【００２０】
（請求項３によれば、）多機能ノズルユニット２の多機能ノズル３が手動で直立状態と、自在に傾倒可動スライドさせて、係止可能となるように構成されており、所定の位置により、容器本体１に形成された円弧状のダイヤフラムボタン５を押圧することにより、中・高粘性内容物を一定量に単発、若しくは、断続的に押し出しを行なうことができる。
【図面の簡単な説明】
【図１】本発明の実施の一形態を示すと共に使用状態の説明を兼ねた斜視図である。
【図２】本発明の使用状態を示す斜視図である。
【図３】本発明の実施の形態を示すと共に一部分解組立の説明を兼ねた斜視図である。
【図４】本発明の一部横断面作用説明図である。
【図５】本発明の一部横断面作用説明図である。
【図６】本発明の他の実施の一形態を示すと共に使用状態の説明を兼ねた斜視図である。
【図７】本発明の他の使用状態を示す斜視図である。
【図８】本発明の他の一部破断面作用説明図である。
【図９】本発明の他の一部破断面作用説明図である。
【図１０】本発明の他の一部破断平面の説明図である。
【符号の説明】
１    容器本体
２  多機能ノズルユニット
３    多機能ノズル
４    ノズルベース
５    ダイヤフラムボタン
【図１】
2004338766.tif 000002
【図２】
2004338766.tif 000003
【図３】
2004338766.tif 000004
【図４】
2004338766.tif 000005
【図５】
2004338766.tif 000006
【図６】
2004338766.tif 000007
【図７】
2004338766.tif 000008
【図８】
2004338766.tif 000009
【図９】
2004338766.tif 000010
【図１０】
2004338766.tif 000011